(57)【要約】【課題】                彫像、高級なクリスタルグラス類、美術装飾品、美術的置物等の作品と一体的に装置されると共に、当該作品に対しては一切傷つけることがなく、簡便な操作によって前記作品と着脱自在である名入れ装飾台を提供する。【解決手段】            名入れ装飾基台２と狭着板９から成り、名入れ事項が表示された名入れ装飾基台２には、半円状開口を有したベース収納部３と狭着板９を狭着する凹状ガイドが形成された狭着板収納部が形成される一方、狭着板９には装飾基台２の半円状開口部と衝合して開口円を構成するように半円状の切欠部が形成されると共に、装飾基台２側のガイドに対応する凸状ガイド１１形成されている。【選択図】              図８
2006001010.tif 000002
【特許請求の範囲】
【請求項１】
名入れ装飾基台と狭着板から成るものであり、彫像、高級なクリスタルグラス類、美術装飾品、美術的置物等の作品のうち当該作品にベース部が設けられているタイプに適合するものであり、直接所要の名入れ事項が表示されるか、または所要の名入れ事項が表示されたプレートが接着されている上記名入れ装飾基台には、上記作品のベース部を横方向から挿入収納するためにベース部の挿入側面方向に開き上記ベース部の直径に比べやや狭い半円状開口を有したベース収納部と、上記狭着板を狭着するための凹状ガイドまたは凸状ガイドが形成された狭着板収納部が形成されている一方、上記狭着板は挿入方向に開き上記装飾基台の半円状開口部と衝合して開口円を構成するように半円状の切欠部が形成されると共に、上記装飾基台側のガイドに対応する凸状ガイドまたは凹状ガイドが形成されていることを特徴とする、名入れ装飾台。
【請求項２】
名入れ装飾基台と当該名入れ装飾台の上面に具備された押さえ金具から成るものであり、彫像、高級なクリスタルグラス類、美術装飾品、美術的置物等の作品のうち当該作品にベース部が設けられているタイプに適合するものであり、直接所要の名入れ事項が表示されるか、または所要の名入れ事項が表示されたプレートが接着されている上記名入れ装飾基台には、上記作品のベース部を上方から載置収納するために当該ベース部の直径に比べ僅かに広い円状凹形のベース載置収納部が設けられている一方、上記ベース載置収納部の周縁には所定離間して、ベース部を抑止するための押さえ爪を有した押さえ金具を具備することを特徴とする、名入れ装飾台。
【請求項３】
名入れ装飾基台と当該名入れ装飾台の上面に植設された固定杆と掛止杆及び上記固定杆に一方端を巻着すると共に他端を上記掛止杆に掛止可能とした一組の帯状弾性体から成るものであり、彫像、高級なクリスタルグラス類、美術装飾品、美術的置物等の作品のうち当該作品が所謂ずん胴であるタイプに適合するものであり、直接所要の名入れ事項が表示されるか、または所要の名入れ事項が表示されたプレートが接着されている上記名入れ装飾基台には、上記ずん胴タイプ作品のホドム部を載置収納するために当該ボトム部の直径に比べ僅かに広い円状凹形のボトム載置収納部が設けられている一方、上記ずん胴タイプの作品を載置し、上記固定杆に巻着した一組の帯状弾性体によって上記ずん胴タイプ作品の側面下部を各々外側から挟持して上記名入れ装飾台上に駐止すると共に当該帯状弾性体の他端を上記掛止杆に掛止することを特徴とする、名入れ装飾台。
【発明の詳細な説明】
【技術分野】
【０００１】
本発明は、彫像、高級なクリスタルグラス類、美術装飾品、美術的置物等の作品と一体的に装置されると共に、当該作品に対しては一切傷つけることがなく、簡便な操作によって前記作品と着脱自在である名入れ装飾台に関するものである。
【背景技術】
【０００２】
従来、彫像、クリスタル類、美術装飾品、美術的置物等の作品を室内装置する際に、名入れ装飾台が使用されることが見受けられる。この場合の名入れ装飾台には、当該名入れ装飾台に載置される作品の事柄等や贈答記念品であれば場所・日時の他、贈答内容などが記載されているものであった。
【０００３】
更に、前記彫像、クリスタル類、美術装飾品、美術的置物等の作品と上記名入れ装飾台との関係は、それらの作品が当該装飾台の上に単純に載置されるものであることを前提としていた。一方、これとは別のタンプのものは接着剤またはボルト等の固定金具によって上記作品と装飾台を固定するもの等があった。
【０００４】
更に続いて具体例を示すと、実公昭４５−２５３９３号公報には、トロフィーの考案が開示されている。ここで、当該考案に係るトロフィーは、基台及び中間の装飾部材に相互に連通する通孔を透設し、その最上位にある部材の通孔に、上端にフランジを下端内側に螺条を有するパイプを挿通し、同パイプの上記フランジを最上位にある部材の通孔の切縁に係合せしめると共に基台の下辺より上記連通する通孔に挿通した芯杆上端の螺条をパイプの上記螺条に螺合緊締して基台及び中間の装飾部材を相互に廻動不能に一体化し、又、これとは別個に下端に突杆を有する装飾主体を構成し、この突杆に縦方向の切割を設けると共に同突杆を上記のパイプに緊合したものであった。ここで、上記トロフィーは装飾台である基台に対してボルトによって固定されていると見ることができる。
【特許文献１】実公昭４５−２５３９３号公報
【発明の開示】
【発明が解決しようとする課題】
【０００５】
上記背景技術の項に記載の従来の名入れ装飾台は、当該名入れ装飾台の上に作品を載置するだけのものであったため、不慮の取扱や地震の際に当該作品が上記名入れ装飾台から転がり破損してしまうことがあるという欠点があった。
【０００６】
また、接着剤またはボルト等の固定金具によって作品と名入れ装飾台を固定するものにあっては、いずれかの固定手段を講ずる必要があるため、例えば当該作品に挿入孔を穿設するなどの加工処理が成される結果、上記作品における原形保存性を欠くと共に作品自体の価値を低下させるという欠点があった。
【０００７】
そこで本発明は、上記従来の技術の項に記載の欠点等に鑑み成されたものであり、本発明の目的は、彫像、高級なクリスタルグラス類、美術装飾品、美術的置物等の作品と一体的に装置されると共に、当該作品に対しては一切傷つけることがなく、簡便な操作によって前記作品と着脱自在である名入れ装飾台の提供を目的とする。
【課題を解決するための手段】
【０００８】
上記目的を達成するため、本発明に係る名入れ装飾台は、名入れ装飾基台と狭着板から成るものであり、彫像、高級なクリスタルグラス類、美術装飾品、美術的置物等の作品のうち当該作品にベース部が設けられているタイプに適合するものであり、直接所要の名入れ事項が表示されるか、または所要の名入れ事項が表示されたプレートが接着されている上記名入れ装飾基台には、上記作品のベース部を横方向から挿入収納するためにベース部の挿入側面方向に開き上記ベース部の直径に比べやや狭い半円状開口を有したベース収納部と、上記狭着板を狭着するための凹状ガイドまたは凸状ガイドが形成された狭着板収納部が形成されている一方、上記狭着板は挿入方向に開き上記装飾基台の半円状開口部と衝合して開口円を構成するように半円状の切欠部が形成されると共に、上記装飾基台側のガイドに対応する凸状ガイドまたは凹状ガイドが形成されていることを第一の要旨とする。
【０００９】
更に、本発明に係る名入れ装飾台は、名入れ装飾基台と当該名入れ装飾台の上面に具備された押さえ金具から成るものであり、彫像、高級なクリスタルグラス類、美術装飾品、美術的置物等の作品のうち当該作品にベース部が設けられているタイプに適合するものであり、直接所要の名入れ事項が表示されるか、または所要の名入れ事項が表示されたプレートが接着されている上記名入れ装飾基台には、上記作品のベース部を上方から載置収納するために当該ベース部の直径に比べ僅かに広い円状凹形のベース載置収納部が設けられている一方、上記ベース載置収納部の周縁には所定離間して、ベース部を抑止するための押さえ爪を有した押さえ金具を具備することを第二の要旨とする。
【００１０】
続いて、本発明に係る名入れ装飾台は、名入れ装飾基台と当該名入れ装飾基台の上面に植設された固定杆と掛止杆及び上記固定杆に一方端を巻着すると共に他端を上記掛止杆に掛止可能とした一組の帯状弾性体から成るものであり、彫像、高級なクリスタルグラス類、美術装飾品、美術的置物等の作品のうち当該作品が所謂ずん胴であるタイプに適合するものであり、直接所要の名入れ事項が表示されるか、または所要の名入れ事項が表示されたプレートが接着されている上記名入れ装飾基台には、上記ずん胴タイプ作品のホドム部を載置収納するために当該ボトム部の直径に比べ僅かに広い円状凹形のボトム載置収納部が設けられている一方、上記固定杆に巻着した一組の帯状弾性体によって上記ずん胴タイプ作品の側面下部を各々外側から挟持して上記名入れ装飾台上に駐止すると共に当該帯状弾性体の他端を上記掛止杆に掛止することを第三の要旨とする。
【発明の効果】
【００１１】
ここで、前述した第一の要旨として記載の本発明に係る名入れ装飾台は、彫像、高級なクリスタルグラス類、美術装飾品、美術的置物等の作品のうち当該作品にベース部が設けられているタイプに適合するものであるが、上記作品のベース部を横方向から挿入収納するためにベース部の挿入側面方向に開き上記ベース部の直径に比べやや狭い半円状開口を有したベース収納部と、上記狭着板を狭着するための凹状ガイドまたは凸状ガイドが形成された狭着板収納部が形成されている一方、上記狭着板は挿入方向に開き上記名入れ装飾基台の半円状開口部と衝合して開口円を構成するように半円状の切欠部が形成されると共に、上記装飾基台側のガイドに対応する凸状ガイドまたは凹状ガイドが形成されているので、上記作品のベース部を名入れ装飾台のベース収納部に横方向から挿入収納した後、挟着板を挟着することで、当該作品に対しては一切傷つけることがなく上記名入れ装飾台と上記作品を係着することができるという効果がある。
【００１２】
また、前述した第二の要旨として記載の本発明に係る名入れ装飾台は、彫像、高級なクリスタルグラス類、美術装飾品、美術的置物等の作品のうち当該作品にベース部が設けられているタイプに適合するものであるが、上記名入れ装飾基台には、上記作品のベース部を上方から載置収納するために当該ベース部の直径に比べ僅かに広い円状凹形のベース載置収納部が設けられている一方、上記ベース載置収納部の周縁には所定離間して、ベース部を抑止するための押さえ爪を有した押さえ金具を具備するものであるので、上記作品のベース部を名入れ装飾台のベース載置収納部に載置した後、上記押さえ金具の押さえ爪を上記作品のベース部側に回動することで、当該作品に対しては一切傷つけることがなく上記名入れ装飾台と上記作品を係着することができるという効果がある。
【００１３】
更に、前述した第三の要旨として記載の本発明に係る名入れ装飾台は、彫像、高級なクリスタルグラス類、美術装飾品、美術的置物等の作品のうち当該作品が所謂ずん胴であるタイプに適合するものであるが、上記名入れ装飾基台には、上記ずん胴タイプ作品のホドム部を載置収納するために当該ボトム部の直径に比べ僅かに広い円状凹形のボトム載置収納部が設けられている一方、上記名入れ装飾基台に上記ずん胴タイプの作品を載置し、上記固定杆に巻着した一組の帯状弾性体によって上記ずん胴タイプ作品の側面下部を各々外側から挟持して上記名入れ装飾台上に駐止すると共に当該帯状弾性体の他端を上記掛止杆に掛止することで、当該作品に対しては一切傷つけることがなく上記名入れ装飾台と上記作品を係着することができるという効果がある。
【発明を実施するための最良の形態】
【００１４】
彫像、高級なクリスタルグラス類、美術装飾品、美術的置物等の作品と一体的に装置されると共に、当該作品に対しては一切傷つけることがなく、簡便な操作によって前記作品と着脱自在である名入れ装飾台の提供を目的に、上記作品にベース部が設けられているタイプに適合するものとしては、ベース収納部及び狭着板収納部が形成された名入れ装飾基台と狭着板から成るものと、名入れ装飾基台と当該名入れ装飾台の上面に具備された押さえ金具から成るもの、一方、上記作品が所謂ずん胴であるタイプに適合するものとしては、名入れ装飾基台と当該名入れ装飾基台の上面に植設された固定杆と掛止杆及び上記固定杆に一方端を巻着すると共に他端を上記掛止杆に掛止可能とした一組の帯状弾性体から成るものによって達成した。
【実施例１】
【００１５】
先ず、図１は本発明に係る名入れ装飾基台の平面図、図２は同じく名入れ装飾基台の背面図、図３は同じく名入れ装飾基台の正面図、図４は図１のＡ−Ａ断面図 である。図示のように、本発明に係る名入れ装飾基台２は、ベース部を有したクリスタル製のカップに適合するものであり、図３のように装飾基台２の正面には「最優秀賞」等の名入れ事項６が刻印されている。また、上記名入れ装飾基台２には後述するクリスタル製のカップのベース部を横方向から挿入収納するためにベース部の挿入側面方向に開いていると共に上記ベース部の直径に比べやや狭い半円状開口を有したベース収納部３と、後述する狭着板を狭着するための凹状ガイド４形成された狭着板収納部５が形成されている。ここで、上記名入れ装飾基台２は所要形状に切削した木製基台１４上に、更に所要形状に切削した留め板７を貼着したものである。一方、図中の符号８は留め金具８であり、上記名入れ装飾基台２にクリスタル製のカップを装置し、上記狭着板によって狭着することで本発明に係る名入れ装飾台と上記カップを一体的に構成した後、上記名入れ装飾台が不用意に狭着を解くことを防止するものである。
続いて、図５は本発明に係る狭着板の平面図、図６は同じく狭着板の正面図、図７は図５のＢ−Ｂ断面図である。図示のように、本発明に係る狭着板９は、上記名入れ装飾基台２の挿入方向に対して開き当該装飾基台２の半円状開口部と衝合して開口円を構成するように半円状の切欠部１０が形成されると共に、上記名入れ装飾基台２側のガイドに対応する凸状ガイド１１が形成されている。ここで、上記狭着板９は所要形状に切削された木製板の上に、更に所要形状に切削された留め板１２を貼着して製作されたものである。そして、図８は本発明に係る名入れ装飾台の平面図である。ここで、上記名入れ装飾台１は、前記名入れ装飾基台２に前記狭着板９を狭着して構成したものである。図中の各符号については既に説明済みである。
一方、図９はクリスタル製のカップの正面図である。ここで図示のクリスタル製のカップ１３は、ベース部を有したものであるが、工芸作品としても芸術性が高くそれ自体が鑑賞の対象に成り得るものである。そしてまた、図１０は本発明に係る名入れ装飾台にクリスタル製のカップを収納した際の、正面図一部切欠断面図である。図示のように、本発明に係る名入れ装飾台１においては、上記クリスタル製カップ１３のベース部の直径に比べ、名入れ装飾基台２と狭着板９によって構成された開口円の直径がやや狭く設定されていることから、本発明の名入れ装飾台１とクリスタル製のカップ１３は一体的に装置されている。更に、本発明に係る名入れ装飾台１によれば、狭着板９の狭着を解くことによって上記クリスタル製のカップ１３を傷つけることなく容易に分離することができるものである。
【実施例２】
【００１６】
更に続いて、図１１は本発明に係る別の名入れ装飾台の平面図、図１２は図１１の正面図である。図示のように、名入れ装飾台１５には後述するクリスタル製の装飾グラスのベース部を上方から載置収納するために当該ベース部の直径に比べ僅かに広い円状凹形のベース載置収納部１７が設けられている。更に、ベース載置収納部１７の周縁には所定離間して、上記ベース部を抑止するための押さえ爪１８を有した押さえ金具１９が具備されている。ここで、上記の押さえ金具１９の押さえ爪１８は、図１１に図示のように回動自在である。また、図１２のように上記名入れ装飾基台１６の正面には、「優勝  第１位」等の名入れ事項が表示されたプレート２０が貼着されている。
そしてまた、図１３は本発明に係る別の名入れ装飾台にクリスタル製の装飾グラスを一体的に装置した際の正面図である。ここでは、先ず、上記押さえ金具１９の押さえ爪１８を回動しベース載置収納部１７以外の方向に向け、上記クリスタル製の装飾グラス２１のベース部をベース載置収納部１７の上方から載置収納し、次に上記押さえ金具１９の押さえ爪１８をベース載置収納部１７の中心方向に回動して上記ベース部を抑止するようにして、本発明の別の名入れ装飾台１５とクリスタル製の装飾グラス２１を一体的に装置するようにする。一方、本発明に係る別の名入れ装飾台１５では、押さえ金具１９の押さえ爪１８を回動してベース載置収納部１７以外の方向に向けることにより、上記クリスタル製の装飾グラス２１を傷つけることなく容易に分離することができるものである。また、上記クリスタル製の装飾グラス２１は、工芸作品としても芸術性が高くそれ自体が鑑賞の対象に成り得るものである。
【実施例３】
【００１７】
そしてまた、図１４は本発明に係るもう一つの名入れ装飾台の平面図、図１５は図１４の正面図である。図示のように、名入れ装飾基台２２と当該名入れ装飾基台２２の上面に植設された固定杆２３と掛止杆２４及び上記固定杆２３に一方端を巻着すると共に他端を上記掛止杆２４に掛止可能とした一組の帯状弾性体である板バネ２５から構成されている。更に、本発明に係るもう一つの名入れ装飾台２６は、後述するクリスタル製のロックグラスのような所謂ずん胴タイプのものに適し、当該名入れ装飾台２６には上記クリスタル製のロックグラスのボトム部を載置収納するために当該ボトム部の直径に比べ僅かに広い円状凹形のボトム載置収納部２７が設けられている一方、上記固定杆に巻着した一組の板バネ２５によって上記クリスタル製ロックグラスの側面下部を各々外側から挟持して名入れ装飾台２６上に駐止すると共に当該板バネ２５の他端を掛止杆２４に掛止して、クリスタル製のロックグラスを一体的に装置する。更に、図１５のように上記名入れ装飾基台２２の正面には、「優勝」等の名入れ事項２８が刻印されている。ここで、上記板バネ２５の内面には密着性の高いシリコンゴムによる被膜処理を施すようにすれば、クリスタル製ロックグラスの挟持が確実であると共に、当該クリスタル製ロックグラスに不要な傷をつけることもない。そしてまた、図中の符号３０は密着性の高いシリコンゴム性のシート３０であり、上記ボトム載置収納部２７の底面に貼着するようにすれば、上記のクリスタル製ロックグラスとの密着性が良好となり、上記名入れ装飾台２６上から当該クリスタル製ロックグラスが不用意に滑落するなどの支障を防止することができる。また、図１６は本発明に係るもう一つの名入れ装飾台において、一方の板バネ２５の掛止め側端部を掛止杆２４から外した際の平面図である。図示のように、一方の板バネ２５の掛止め側端部を掛止杆２４から外すようにすれば、容易に上記クリスタル製のロックグラスの一体的な装置を解くことができる。
続いて、図１７は本発明に係るもう一つの名入れ装飾台にクリスタル製のロックグラスを一体的に装置した際の正面図である。図示のように、固定杆２３に巻着した一組の板バネ２５によって上記クリスタル製ロックグラス２９の側面下部を各々外側から挟持して名入れ装飾台２６上に駐止することができる。一方、上記クリスタル製ロックグラス２９は工芸作品としても芸術性が高くそれ自体が鑑賞の対象に成り得るものである。
【産業上の利用可能性】
【００１８】
従来、一般的に贈答記念品、特に優勝カップ・トロフィー等には日時、贈答・記念の趣旨が目的情報として刻まれることが普通であり、当該品自体に上記事項を明記または刻字するか、更には、上記事項を明記または刻字した装飾台に上記品を接着固定するという手法によって、製作して来た。本発明に係る名入れ装飾台によれば、各種のクリスタル製品等の芸術的価値の高い既製品と装飾台を一体的に装置し、また必要により容易に且つ傷つけることなく分離することができ、特に優勝カップ・トロフィー等の贈答記念品のジャンルにおいて新規で付加価値の高い製品を提供でき、市場から要請に十分応えられるものである。
【図面の簡単な説明】
【００１９】
【図１】本発明に係る名入れ装飾基台の平面図。
【図２】本発明に係る名入れ装飾基台の背面図。
【図３】本発明に係る名入れ装飾基台の正面図。
【図４】図１のＡ−Ａ断面図。
【図５】本発明に係る狭着板の平面図。
【図６】本発明に係る狭着板の正面図。
【図７】図５のＢ−Ｂ断面図。
【図８】本発明に係る名入れ装飾台の平面図。
【図９】クリスタル製のカップの正面図。
【図１０】本発明に係る名入れ装飾台にクリスタル製のカップを収納した際の、正面図一部切欠断面図。
【図１１】本発明に係る別の名入れ装飾台の平面図。
【図１２】図１１の正面図。
【図１３】本発明に係る別の名入れ装飾台にクリスタル製の装飾グラスを一体的に装置した際の正面図。
【図１４】本発明に係るもう一つの名入れ装飾台の平面図。
【図１５】図１４の正面図。
【図１６】本発明に係るもう一つの名入れ装飾台において、一方の板バネ２５の掛止め側端部を掛止杆２４から外した際の平面図。
【図１７】本発明に係るもう一つの名入れ装飾台にクリスタル製のロックグラスを一体的に装置した際の正面図。
【符号の説明】
【００２０】
１            本発明に係る名入れ装飾台
２            本発明に係る名入れ装飾基台
３            ベース収納部
４            凹状ガイド
５            狭着板収納部
６、２８      名入れ事項
７、１２      留め板
８            留め金具
９            本発明に係る狭着板
１０          半円状の切欠部
１１          凸状ガイド
１３          クリスタル製のカップ
１４          木製基台
１５          本発明に係る別の名入れ装飾台
１６          本発明に係る別の名入れ装飾基台
１７          ベース載置収納部
１８          押さえ爪
１９          押さえ金具
２０          名入れ事項が表示されたプレート
２１          クリスタル製の装飾グラス
２２          本発明に係るもう一つの名入れ装飾基台
２３          固定杆
２４          掛止杆
２５          板バネ
２６          本発明に係るもう一つの名入れ装飾台
２７          ボトム載置収納部
２９          クリスタル製ロックグラス
３０          シリコーンゴム性のシート
【図１】
2006001010.tif 000003
【図２】
2006001010.tif 000004
【図３】
2006001010.tif 000005
【図４】
2006001010.tif 000006
【図５】
2006001010.tif 000007
【図６】
2006001010.tif 000008
【図７】
2006001010.tif 000009
【図８】
2006001010.tif 000010
【図９】
2006001010.tif 000011
【図１０】
2006001010.tif 000012
【図１１】
2006001010.tif 000013
【図１２】
2006001010.tif 000014
【図１３】
2006001010.tif 000015
【図１４】
2006001010.tif 000016
【図１５】
2006001010.tif 000017
【図１６】
2006001010.tif 000018
【図１７】
2006001010.tif 000019